(57)【要約】【課題】第一のアームノズル上に第二のアームノズルを配設する構成とした食器洗い機において、圧送された洗浄水の動水圧によって、第二のアームノズルの嵌合部が外れてしまうことを防止する。【解決手段】被洗浄物３を収容する洗浄槽２と、洗浄槽２内の洗浄水を加圧循環させる洗浄ポンプ５と、洗浄ポンプ５に連通する洗浄ノズルとを備え、洗浄ノズルは、回転自在な第一のアームノズル６と、第一のアームノズル６の回転中心Ｃ１と偏心させて第一のアームノズル６上に回転自在に設けた第二のアームノズル７とから構成され、第二のアームノズル７は、第一のアームノズル６と繋がる縦水路７ｂを回転軸７ａとして、第二のアームノズル７の上面で回転軸７ａ上に中央部噴射口１２（洗浄水噴射口）が配設されたもので、圧送された洗浄水の動水圧によって第二のアームノズル７の嵌合部が外れてしまうことを防止することができる。【選択図】図１
2014079489.tif 000002
【特許請求の範囲】
【請求項１】
食器等の被洗浄物を収容する洗浄槽と、前記洗浄槽内の洗浄水を加圧循環させる洗浄ポンプと、前記洗浄ポンプに連通し洗浄水を噴射して被洗浄物を洗浄する洗浄ノズルとを備え、前記洗浄ノズルは、回転自在な第一のアームノズルと、前記第一のアームノズルの回転中心とは偏心させた位置を回転中心として前記第一のアームノズル上に回転自在に設けられた第二のアームノズルとから構成され、前記第二のアームノズルは、前記第一のアームノズルと繋がる縦水路を回転軸として、前記第二のアームノズルの上面で前記回転軸上に洗浄水噴射口が配設された食器洗い機。
【請求項２】
前記第二のアームノズルは、上面の回転軸上以外の位置に複数の洗浄水噴射口を有し、前記複数の洗浄水噴射口は、前記第二のアームノズルの回転中心に対し点対称となるよう配設された請求項１に記載の食器洗い機。
【発明の詳細な説明】
【技術分野】
【０００１】
本発明は、洗浄水の噴射により食器等の洗浄を行う食器洗い機に関する。
【背景技術】
【０００２】
従来、回転するアームノズルの噴射口から洗浄水を噴射して食器等の洗浄を行う食器洗い機において、回転自在に設けた第一のアームノズルに加えて、この第一のアームノズル上に偏心させて第二のアームノズルを回転自在に設け、食器類を効率よく均一に洗浄しようとした食器洗い機が提案されている（例えば、特許文献１参照）。
【０００３】
図３はその一例の食器洗い機の内部構成を示す側断面図である。図３において、食器洗い機は、洗浄槽１０１の底面略中央部に配した洗浄ポンプ１０２の吐出口１０３と連通し且つ略水平に回転自在に設けた第一のアームノズル１０４と、この第一のアームノズル１０４の回転軸と所要の距離だけ偏心させて前記第一のアームノズル１０４上に回転自在に設けた第二のアームノズル１０５からなる洗浄ノズルを備えている。前記第一のアームノズル１０４および第二のアームノズル１０５は、それぞれ洗浄水を噴射する第一の噴射口１０６および第二の噴射口１０７を有している。前記第一の噴射口１０６および第二の噴射口１０７のそれぞれ少なくともひとつは、洗浄水の噴射反力によりそれぞれのアームノズルを所要の方向に回転させるように、洗浄水の噴射方向が斜め上向きに形成されている。
【０００４】
上記構成において、洗浄槽１０１内に所定量の洗浄水が給水され、洗浄ポンプ１０２が運転されると、洗浄水は第一のアームノズル１０４および第二のアームノズル１０５内に圧送され、それぞれ第一の噴射口１０６および第二の噴射口１０７より噴射されて、それぞれのアームノズルを回転させながら食器類を洗浄する。したがって、第二のアームノズル１０５は、自転しながら第一のアームノズル１０４の回転により公転運動を行なうことによって、第二の噴射口１０７の回転軌跡が万偏なく運動する。これによって、食器洗い機は、洗浄槽１０１内の食器類を効率よく均一に洗浄しようとしたものである。
【先行技術文献】
【特許文献】
【０００５】
【特許文献１】特開平５−１６８５８１号公報
【発明の概要】
【発明が解決しようとする課題】
【０００６】
しかしながら、上記従来の構成において、第二のアームノズル１０５は第一のアームノズル１０４に比べて軽量であるため、洗浄ポンプ１０２起動時に圧送された洗浄水の動水圧によって第二のアームノズル１０５が第一のアームノズル１０４の爪嵌合係止部から外れてしまう恐れがあった。
【０００７】
その不具合を防止するため、嵌合構成を爪嵌合ではなくビス締め構成にするなどの対策が考えられるが、同時に回転シール部を静圧シール方式にするなど、アームノズル間のシール構成も見直す必要が生じる。これに伴い、回転シール部の摺動抵抗低減のためにリンフが必要となったり、ユーザーが第一のアームノズル１０４から第二のアームノズル１０５を取り外す際の作業性が悪化したりするなど、メンテナンス面でも課題が発生してしまう。
【０００８】
部品構成や取り外しが容易な釣り合いシール構成で嵌合係止部からの外れにくくするた
めには、嵌合爪の強度を高くするという方法が考えられるが、同時にメンテナンス性の悪化にも繋がり、さらに、繰り返し着脱した場合に爪部が破損に至る恐れがある。
【０００９】
本発明は、前記従来の課題を解決するもので、回転自在な第一のアームノズル上に第二のアームノズルを回転自在に設ける構成の食器洗い機において、洗浄ポンプ起動時に第二のアームノズルの爪嵌合部が動水圧によって外れてしまうことを、少ない部品点数で、かつメンテナンス作業性を損なわずに実現することができる食器洗い機を提供するものである。
【課題を解決するための手段】
【００１０】
前記従来の課題を解決するために、本発明の食器洗い機は、食器等の被洗浄物を収容する洗浄槽と、前記洗浄槽内の洗浄水を加圧循環させる洗浄ポンプと、前記洗浄ポンプに連通し洗浄水を噴射して被洗浄物を洗浄する洗浄ノズルとを備え、前記洗浄ノズルは、回転自在な第一のアームノズルと、前記第一のアームノズルの回転中心とは偏心させた位置を回転中心として前記第一のアームノズル上に回転自在に設けられた第二のアームノズルとから構成され、前記第二のアームノズルは、前記第一のアームノズルと繋がる縦水路を回転軸として、前記第二のアームノズルの上面で前記回転軸上に洗浄水噴射口が配設されたものである。これにより、洗浄ポンプ起動時に第二のアームノズルの爪嵌合部が動水圧によって外れてしまうことを、少ない部品点数で、かつメンテナンス作業性を損なわずに実現することができる。
【発明の効果】
【００１１】
本発明の食器洗い機は、回転自在な第一のアームノズル上に第二のアームノズルを回転自在に設ける構成において、洗浄ポンプ起動時に第二のアームノズルの爪嵌合部が動水圧によって外れてしまうことを、少ない部品点数で、かつメンテナンス作業性を損なわずに実現することができる。
【図面の簡単な説明】
【００１２】
【図１】本発明の実施の形態１における食器洗い機の内部構成を示す側面断面図
【図２】同食器洗い機の第二のアームノズルの構成を従来の構成と対比させて示す要部拡大断面図
【図３】従来の食器洗い機の内部構成を示す側面断面図
【発明を実施するための形態】
【００１３】
第１の発明は、食器等の被洗浄物を収容する洗浄槽と、前記洗浄槽内の洗浄水を加圧循環させる洗浄ポンプと、前記洗浄ポンプに連通し洗浄水を噴射して被洗浄物を洗浄する洗浄ノズルとを備え、前記洗浄ノズルは、回転自在な第一のアームノズルと、前記第一のアームノズルの回転中心とは偏心させた位置を回転中心として前記第一のアームノズル上に回転自在に設けられた第二のアームノズルとから構成され、前記第二のアームノズルは、前記第一のアームノズルと繋がる縦水路を回転軸として、前記第二のアームノズルの上面で前記回転軸上に洗浄水噴射口を配設された食器洗い機である。これにより、洗浄ポンプ起動時に第二のアームノズルの爪嵌合部が動水圧によって外れてしまうことを、少ない部品点数で、かつメンテナンス作業性を損なわずに実現することができる。
【００１４】
第２の発明は、第１の発明において、前記第二のアームノズルは、上面の回転軸上以外の位置に複数の洗浄水噴射口を有し、前記複数の洗浄水噴射口は、前記第二のアームノズルの回転中心に対し点対称となるよう配設されたもので、第二のアームノズルを、常にその回転中心を支点とした上下方向の噴射反力の釣り合いを保って回転させることができ、安定した洗浄能力を確保することができる。
【００１５】
以下、本発明の実施の形態について、図面を参照しながら説明する。なお、この実施の形態によって本発明が限定されるものではない。
【００１６】
（実施の形態１）
本発明の実施の形態１における食器洗い機の構成について説明する。図１は、本発明の実施の形態１における食器洗い機の内部構成を示す側面断面図であり、図２は、同食器洗い機の第二のアームノズルの構成を従来の構成と対比させて示す要部拡大断面図である。
【００１７】
図１において、食器洗い機の本体１の内部に洗浄槽２が設けられ、洗浄槽２内には、食器類の被洗浄物３が載置される食器かご４が配置されている。洗浄槽２の下部には、洗浄水を圧送する洗浄ポンプ５が取り付けられており、洗浄ポンプ５の吐出口５ａに連通しかつ略水平方向に回転自在に第一のアームノズル６が設けられている。第一のアームノズル６の上面には、第二のアームノズル７が、第一のアームノズル６の回転中心Ｃ１とは偏心させた位置を第二のアームノズル７の回転中心Ｃ２として、回転自在に、かつ、嵌合爪８によって着脱可能に取り付けられている。また、第二のアームノズル７が回転中心Ｃ２とする回転軸７ａは、第一のアームノズル６から繋がる縦水路７ｂを形成する。第一のアームノズル６と第二のアームノズル７との接続部は、回転軸７ａ下端が回転シール部９としてシールされることで、第一のアームノズル６を通じて第二のアームノズル７に圧送される洗浄水が両アームノズル間から漏れ出ないよう構成されている。
【００１８】
第一のアームノズル６の上面には、洗浄ポンプ５より圧送された洗浄水を噴射する第一の噴射口１０が設けられ、第二のアームノズル７の上面には、第一のアームノズル６を通じて圧送された洗浄水を噴射する第二の噴射口１１（複数の洗浄水噴射口）が複数個設けられている。第一の噴射口１０及び第二の噴射口１１のそれぞれ少なくともひとつは、洗浄水の噴射反力によりそれぞれのアームノズルを所要の方向に回転させるように、洗浄水の噴射方向が斜め上向きになるように形成されている。
【００１９】
また、第二のアームノズル７の上面中央部近傍には、中央部噴射口１２（洗浄水噴射口）が第二のアームノズル７の回転軸７ａ上に設けられている。また、中央部噴射口１２を除く第二の噴射口１１は、上面の回転軸上以外の位置で、第二のアームノズル７の回転中心Ｃ２に対して点対称となるように配設されている。
【００２０】
以上のように構成された本実施の形態における食器洗い機について、その動作及び作用を説明する。使用者が被洗浄物３を食器かご４にセットして洗浄槽２内に収容し、運転を開始すると、所定のシーケンスにしたがって所定量の洗浄水が洗浄槽２内に給水される。次いで、洗浄ポンプ５が作動し、洗浄ポンプ５によって加圧された洗浄水は、回転自在に設けられた第一のアームノズル６に圧送され、第一の噴射口１０より噴射される。同時に洗浄水は、第一のアームノズル６から縦水路７ｂを経由して第二のアームノズル７に加圧供給され、第二の噴射口１１及び中央部噴射口１２より上方へ噴射される。この時、第一のアームノズル６及び第二のアームノズル７は、それぞれ、第一の噴射口１０及び第二の噴射口１１のそれぞれ少なくともひとつから噴射される洗浄水の噴射反力により、所要の方向に回転する。
【００２１】
ここで、第二のアームノズル７の動作および作用について、図２によって説明する。まず、第二のアームノズルの上面に中央部噴射口が無かった従来の食器洗い機の場合について説明する。
【００２２】
図２（ａ）に示すように、第二のアームノズル１０５は、定常運転状態においては、第一のアームノズル１０４から縦水路１０５ａを経由して圧送された洗浄水の動水圧によって第二のアームノズル１０５に鉛直上向きに作用する力よりも、第二の噴射口１０７より
噴射される洗浄水の噴射反力、第二のアームノズル１０５の自重及び第二のアームノズル１０５内部に満たされた洗浄水の重量によって鉛直下向き方向に作用する力の合計が大きくなるように設計されている。このため、第二のアームノズル１０５は、浮き上がることなく常に回転シール部１０９に面圧がかかった状態となっている。
【００２３】
しかし、洗浄ポンプ１０２が停止した状態から起動直後の状態を考えた場合、上記のように第一のアームノズル１０４から縦水路１０５ａを経由して圧送された洗浄水によって鉛直上向きの力が作用するものの、第二の噴射口１０７から洗浄水が噴射していないため、噴射反力が作用せず、第二のアームノズル１０５は定常運転状態と比べて浮き上がりやすい状態となる。
【００２４】
第二のアームノズル１０５は第一のアームノズル１０４に嵌合爪１０８にて係止されているため、ある程度の浮き上がりでは嵌合が外れることは無いが、加熱時における樹脂製の爪部の剛性低下や洗浄ポンプ１０２の吐出圧ばらつきなどによっては嵌合が外れてしまう恐れがある。そのため、嵌合爪１０８の剛性を高め、容易に嵌合が外れないようにする必要があるが、その分メンテナンス時の取り外し作業性は低下する上、繰り返し着脱する中での爪部破損の危険性も高くなる。
【００２５】
そこで、図２（ｂ）に示される本実施の形態のように、第二のアームノズル７の回転軸７ａ上の上面中央部近傍に中央部噴射口１２（洗浄水噴射口）を設けることで、第一のアームノズル６から縦水路７ｂを経由して洗浄水が圧送されてきた直後に中央部噴射口１２から噴射が開始され、下向きの噴射反力が得られる。このため、従来のような中央部噴射口１２が無かった場合に比べて、第二のアームノズル７が浮き上がり爪嵌合が外れる危険性を低減させることが可能となり、その分爪嵌合力を弱くすることができ、メンテナンス性の向上に繋がる。
【００２６】
また、回転軸７ａ上に設けた中央部噴射口１２については、第二のアームノズル７の回転中心Ｃ２を支点とする噴射反力による下向きのモーメントの釣り合いを考慮する必要がないため、噴射口の形状に対する自由度は高くなる。
【００２７】
第二のアームノズル７の中央部噴射口１２以外の噴射口（第二の噴射口１１）については、第二のアームノズル７の回転中心Ｃ２を支点とする噴射反力による下向きのモーメントの釣り合いを考慮する必要がある。釣り合いが崩れると、回転不良や回転シール部９におけるシール不良に伴う洗浄水の漏出が発生し、所望の洗浄能力が得られなくなる恐れがある。そこで、本実施の形態の食器洗い機は、中央部噴射口１２以外の複数個の第二の噴射口１１を第二のアームノズル７の回転中心Ｃ２に対して点対称となるように配設している。このように構成することで、常に回転中心Ｃ２を支点とした上下方向の噴射反力の釣り合いを保つことができ、安定した洗浄能力を確保することができる。
【産業上の利用可能性】
【００２８】
以上のように、本発明によれば、洗浄ポンプ起動時に第二のアームノズルの爪嵌合部が動水圧によって外れてしまうことを、少ない部品点数で、かつメンテナンス作業性を損なわずに実現することができる。よって、回転するアームノズルの噴射口から洗浄水を噴射して食器等の洗浄を行う食器洗い機等として有用である。
【符号の説明】
【００２９】
２  洗浄槽
３  被洗浄物
５  洗浄ポンプ
６  第一のアームノズル（洗浄ノズル）
７  第二のアームノズル（洗浄ノズル）
７ａ  回転軸
７ｂ  縦水路
１０  第一の噴射口
１１  第二の噴射口（複数の洗浄水噴射口）
１２  中央部噴射口（洗浄水噴射口）
Ｃ１  回転中心（第一のアームノズル）
Ｃ２  回転中心（第二のアームノズル）
【図１】
2014079489.tif 000003
【図２】
2014079489.tif 000004
【図３】
2014079489.tif 000005